(57)【要約】【課題】複数の映像信号に基づく画像データの表示態様を選択しやすくする。【解決手段】表示装置１は、画像を表示する表示部１１０と、表示部１１０が表示する画像データを含む複数の映像信号を取得するための複数の入力端子を有する映像入力部１２０と、複数の映像信号それぞれの特性、及び複数の映像信号に関連付けられた音声信号の有無を検出する検出部１３０と、複数の映像信号それぞれの特性、前記音声信号が関連付けられているか否かに基づいて、複数の映像信号を一以上のグループに分類するグループ振り分け部１４０と、一以上のグループのうち一つのグループに分類された一以上の映像信号を表示部１１０に出力する出力制御部１７０と、を有することを特徴とする。【選択図】図１
2018133783.tif 000002
【特許請求の範囲】
【請求項１】
表示手段が表示する画像データを含む複数の映像信号を取得するための複数の入力端子を有する画像取得手段と、
前記複数の映像信号それぞれの特性と、前記複数の映像信号に関連付けられた音声信号の有無とを検出する検出手段と、
前記複数の映像信号それぞれの特性と、前記音声信号の有無とに基づいて、前記複数の映像信号を一以上のグループに分類する分類手段と、
前記一以上のグループのうち一つのグループに分類された一以上の映像信号を前記表示手段に出力する出力手段と、
を有することを特徴とする電子機器。
【請求項２】
前記分類手段は、前記複数の映像信号のうち、同一の特性を有しかつ前記音声信号が関連付けられていることを前記検出手段が検出した複数の映像信号それぞれを互いに異なるグループに分類し、同一の特性を有しかつ前記音声信号が関連付けられていないことを前記検出手段が検出した複数の映像信号それぞれを同一のグループに分類することを特徴とする、
請求項１に記載の電子機器。
【請求項３】
前記分類手段は、前記複数の映像信号のうち、前記音声信号が関連付けられていることを前記検出手段が検出した第１映像信号と、前記第１映像信号と同一の特性を有し、かつ前記音声信号が関連付けられていないことを前記検出手段が検出した第２映像信号とを、同一のグループに分類することを特徴とする、
請求項１又は２に記載の電子機器。
【請求項４】
前記分類手段は、前記複数の映像信号のうち、垂直同期信号の周波数が同一でありかつ前記音声信号が関連付けられていることを前記検出手段が検出した複数の映像信号それぞれを互いに異なるグループに分類し、垂直同期信号の周波数が同一でありかつ前記音声信号が関連付けられていないことを前記検出手段が検出した複数の映像信号それぞれを同一のグループに分類することを特徴とする、
請求項１から３のいずれか一項に記載の電子機器。
【請求項５】
前記分類手段は、前記複数の映像信号のうち、解像度が同一でありかつ前記音声信号が関連付けられていることを前記検出手段が検出した複数の映像信号それぞれを互いに異なるグループに分類し、解像度が同一でありかつ前記音声信号が関連付けられていないことを前記検出手段が検出した複数の映像信号それぞれを同一のグループに分類することを特徴とする、
請求項１から４のいずれか一項に記載の電子機器。
【請求項６】
前記分類手段は、前記複数の映像信号のうち、ドットクロックの周波数が１：ｎ（ｎは自然数）の関係にありかつ前記音声信号が関連付けられていることを前記検出手段が検出した複数の映像信号それぞれを互いに異なるグループに分類し、ドットクロックの周波数が１：ｎ（ｎは自然数）の関係にありかつ前記音声信号が関連付けられていないことを前記検出手段が検出した複数の映像信号それぞれを同一のグループに分類することを特徴とする、
請求項１から５のいずれか一項に記載の電子機器。
【請求項７】
前記分類手段が分類した前記一以上のグループから一つのグループを選択する選択手段をさらに有し、
前記出力手段は、前記複数の映像信号のうち、前記選択手段が選択したグループに含まれる複数の選択映像信号に基づく複数の画像データを結合した結合画像データを前記表示手段に出力することを特徴とする、
請求項１から６のいずれか一項に記載の電子機器。
【請求項８】
前記出力手段は、前記分類手段が前記複数の映像信号を分類した前記一以上のグループから一つのグループを選択するための選択画面を前記表示手段に出力することを特徴とする、
請求項７に記載の電子機器。
【請求項９】
前記出力手段は、前記複数の入力端子のうち、前記複数の選択映像信号それぞれが入力された複数の入力端子それぞれに関連付けられた位置に配置された前記結合画像データを出力することを特徴とする、
請求項７又は８に記載の電子機器。
【請求項１０】
前記出力手段は、前記複数の選択映像信号に対応する複数の画像データに含まれるオブジェクトの動きに基づいて前記複数の画像データを配置した前記結合画像データを出力することを特徴とする、
請求項７から９のいずれか一項に記載の電子機器。
【請求項１１】
前記出力手段は、前記複数の選択映像信号に対応する複数の画像データ間の連続性に基づいて前記複数の画像データを配置した前記結合画像データを出力することを特徴とする、
請求項７から１０のいずれか一項に記載の電子機器。
【請求項１２】
画像を表示する表示手段と、
前記表示手段が表示する画像データを含む複数の映像信号を取得するための複数の入力端子を有する画像取得手段と、
前記複数の映像信号それぞれの特性と、前記複数の映像信号に関連付けられた音声信号の有無とを検出する検出手段と、
前記複数の映像信号それぞれの特性と、前記音声信号の有無とに基づいて、前記複数の映像信号を一以上のグループに分類する分類手段と、
前記一以上のグループのうち一つのグループに分類された一以上の映像信号を前記表示手段に出力する出力手段と、
を有することを特徴とする表示装置。
【請求項１３】
コンピュータが実行する、
表示手段が表示する画像データを含む複数の映像信号を取得するステップと、
前記複数の映像信号それぞれの特性と、前記複数の映像信号に関連付けられた音声信号の有無とを検出するステップと、
前記複数の映像信号それぞれの特性と、前記音声信号の有無とに基づいて、前記複数の映像信号を一以上のグループに分類するステップと、
前記一以上のグループのうち一つのグループに分類された一以上の映像信号を前記表示手段に出力するステップと、
を有することを特徴とする表示制御方法。
【発明の詳細な説明】
【技術分野】
【０００１】
本発明は、映像信号の入力を受ける電子機器及び表示装置、並びにこれらの電子機器及び表示装置における表示制御方法に関するものである。
【背景技術】
【０００２】
大画面の表示装置に画像を表示するために、画面を構成する複数の領域に対応する複数の映像信号を入力する方法が知られている。特許文献１には、４つの入力端子に入力される４つの映像信号に含まれる画像データの解像度が等しい場合に、４つの映像信号に対応する４つの画像を画面の中央で結合して表示する表示装置が開示されている。
【先行技術文献】
【特許文献】
【０００３】
【特許文献１】特開２０１１−６４８５７号公報
【発明の概要】
【発明が解決しようとする課題】
【０００４】
表示装置には、例えば異なるチャネルの放送番組のように、画像データの解像度が等しいながらも、一つの画像として結合して表示することが望ましくないコンテンツの映像信号が入力される場合がある。しかしながら、従来の表示装置は、結合して表示することが望ましくないコンテンツであっても、複数の映像信号に含まれる画像の解像度が等しい場合には、複数の画像が自動的に結合された態様で表示してしまう。したがって、ユーザは、意思に反した態様の画像が表示された後に、所望の表示態様にするために各種の設定変更を行う操作をしなければならないので、所望の態様で画像を表示するまでに長時間を要してしまうという問題があった。
【０００５】
そこで、本発明は上述した点に鑑みてなされたものであり、複数の映像信号のうち、結合して表示装置に表示することが望ましい映像信号を選択することができる電子機器、表示装置及び表示制御方法を提供することを目的とする。
【課題を解決するための手段】
【０００６】
上記の課題を解決するために、本発明の電子機器は、表示手段が表示する画像データを含む複数の映像信号を取得するための複数の入力端子を有する画像取得手段と、前記複数の映像信号それぞれの特性と、前記複数の映像信号に関連付けられた音声信号の有無とを検出する検出手段と、前記複数の映像信号それぞれの特性と、前記音声信号の有無とに基づいて、前記複数の映像信号を一以上のグループに分類する分類手段と、前記一以上のグループのうち一つのグループに分類された一以上の映像信号を前記表示手段に出力する出力手段と、を有することを特徴とする。
【０００７】
上記の課題を解決するために、本発明の表示装置は、画像を表示する表示手段と、前記表示手段が表示する画像データを含む複数の映像信号を取得するための複数の入力端子を有する画像取得手段と、前記複数の映像信号それぞれの特性と、前記複数の映像信号に関連付けられた音声信号の有無とを検出する検出手段と、前記複数の映像信号それぞれの特性と、前記音声信号の有無とに基づいて、前記複数の映像信号を一以上のグループに分類する分類手段と、前記一以上のグループのうち一つのグループに分類された一以上の映像信号を前記表示手段に出力する出力手段と、を有することを特徴とする。
【０００８】
上記の課題を解決するために、本発明の表示制御方法は、コンピュータが実行する、表示手段が表示する画像データを含む複数の映像信号を取得するステップと、前記複数の映像信号それぞれの特性と、前記複数の映像信号に関連付けられた音声信号の有無とを検出するステップと、前記複数の映像信号それぞれの特性と、前記音声信号の有無とに基づいて、前記複数の映像信号を一以上のグループに分類するステップと、前記一以上のグループのうち一つのグループに分類された一以上の映像信号を前記表示手段に出力するステップと、を有することを特徴とする。
【発明の効果】
【０００９】
本発明によれば、複数の映像信号に基づく画像データの表示態様を選択しやすくすることができるという効果を奏する。
【図面の簡単な説明】
【００１０】
【図１】表示装置の構成図である。
【図２】音声信号が関連付けられた映像信号の分類方法を説明するための図である。
【図３】音声信号が関連付けられていない映像信号の分類方法を説明するための図である。
【図４】表示モードを選択するための表示モード選択メニュー画面の第１の例を示す図である。
【図５】表示モードを選択するための表示モード選択メニュー画面の第２の例を示す図である。
【図６】表示モードの例を示す図である。
【図７】配置決定処理のフローチャートである。
【図８】入力端子の解像度を配列に格納する処理のフローチャートである。
【図９】１入力モードの配置決定処理のフローチャートである。
【図１０】左右２分割入力モードの配置決定処理のフローチャートである。
【図１１】クォータハーフ３分割入力モードの配置決定処理のフローチャートである。
【図１２】短冊４分割入力モードの配置決定処理のフローチャートである。
【図１３】田の字４分割入力モードの配置決定処理のフローチャートである。
【発明を実施するための形態】
【００１１】
以下に、本発明の好ましい実施の形態を、添付の図面に基づいて詳細に説明する。本発明は、液晶プロジェクタ装置、ＤＬＰ（Digital Light Processing）プロジェクタ又は液晶ディスプレイ装置等の表示装置、及び表示装置が表示する対象となる映像信号を出力する電子機器に適用可能である。
【００１２】
図１は、第１の実施形態に係る表示装置１の構成図である。表示装置１は、表示部１１０、映像入力部１２０、検出部１３０、グループ振り分け部１４０、グループメモリ１５０、配置決定部１６０、出力制御部１７０及びグループ画像結合部１８０を有するディスプレイである。検出部１３０、グループ振り分け部１４０、配置決定部１６０、出力制御部１７０及びグループ画像結合部１８０は、例えば、ＲＯＭ（Read Only Memory）又はハードディスク等の記憶媒体に記憶されたプログラムを実行するＣＰＵ（Central Processing Unit）によって制御される。
【００１３】
表示部１１０は、入力された映像信号に含まれる画像データを出力する表示手段であり、例えば液晶ディスプレイである。本実施形態においては、表示部１１０の水平解像度が３８４０であり、垂直解像度が２１６０であるとする。
【００１４】
映像入力部１２０は、表示部１１０が表示する画像データを含む複数の映像信号が入力される複数の入力端子を有する画像取得手段である。映像入力部１２０は、コンピュータ等からの複数の映像信号を取得するための複数の入力端子を有する。映像入力部１２０は、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３、ＤｉｓｐｌａｙＰｏｒｔ−Ｄ１２４、ＨＤＭＩ−Ｘ１２５、ＨＤＭＩ−Ｙ１２６（ＨＤＭＩは登録商標）の６つの端子を有している。
【００１５】
検出部１３０は、映像入力部１２０に入力された複数の映像信号それぞれの特性と、複数の映像信号に関連付けられた音声信号の有無とを検出する検出手段である。検出部１３０は、複数の映像信号それぞれの特性として、同期周波数及び解像度を検出する。また、検出部１３０は、例えば、映像入力部１２０が有する各入力端子に入力された映像信号と同じケーブルを介して入力される音声信号の有無を検出する。
【００１６】
なお、映像信号に関連付けられた音声信号は、映像信号と同じケーブルを介して入力される音声信号に限らず、映像信号が入力される入力端子に関連付けられた音声用の端子に入力される音声信号であってもよい。また、音声信号が無い状態には、入力された音声信号が無音データである場合も含む。また、音声信号が入力される端子はＤｉｓｐｌａｙＰｏｒｔ（登録商標）であってもよい。
【００１７】
検出部１３０は、映像入力部１２０が有する各入力端子に入力された映像信号の垂直同期信号周波数（以下、垂直同期周波数という）を検出する。検出部１３０は、入力された映像信号の水平同期信号周波数（以下、水平同期周波数という）及び映像信号に含まれる画像データの解像度を検出してもよい。
【００１８】
検出部１３０は、６つの入力端子の各々に対応する検出部１３１、検出部１３２、検出部１３３、検出部１３４、検出部１３５及び検出部１３６（以下、検出部１３１〜１３６という）を有している。検出部１３１〜１３６は、各入力端子からの垂直同期信号が同期しているかどうかの判定が行えるだけの精度で、垂直同期周波数を検出する。同様に、検出部１３１〜１３６は、各入力端子からの水平同期信号が同期しているかどうかの判定が行えるだけの精度で、水平同期周波数を検出してもよい。なお、同期している状態には、各入力端子からの垂直同期信号又は水平同期信号の変化タイミングが一致している状態だけでなく、複数の垂直同期信号間の遅延量又は複数の水平同期信号間の遅延量が一定となっている状態も含む。
検出部１３０は、検出した映像信号の特性と、複数の映像信号に関連付けられた音声信号の有無とをグループ振り分け部１４０に通知する。
【００１９】
グループ振り分け部１４０は、入力された複数の映像信号を一以上のグループに分類する分類手段として機能する。グループ振り分け部１４０は、検出部１３０が検出した各映像信号の特性と、音声信号の有無とに基づいて、複数の映像信号それぞれが属するグループを判定することにより、複数の映像信号を一以上のグループに分類する。
以下に、グループ振り分け部１４０が、複数の映像信号を一以上のグループに分類する方法について詳細に説明する。
【００２０】
［複数の映像信号を分類する方法］
図２は、音声信号が関連付けられた映像信号の分類方法を説明するための図である。図２（Ａ）においては、検出部１３０が、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３、ＤｉｓｐｌａｙＰｏｒｔ−Ｄ１２４の４端子に、解像度が１９２０×１０８０、垂直同期周波数が６０．０００１Ｈｚの映像信号が入力されていると検出したことを想定している。また、検出部１３０が、ＨＤＭＩ−Ｘ１２５及びＨＤＭＩ−Ｙ１２６の２端子に、共に解像度が１９２０×２１６０、周波数が５９．９９９９Ｈｚの映像信号が入力されていると検出したことを想定している。さらに、検出部１３０が、入力された映像信号に音声信号が関連付けられていないと検出したことを想定している。
【００２１】
グループ振り分け部１４０は、同一の特性を有しかつ音声信号が関連付けられていないことを検出部１３０が検出した映像信号を同一のグループに分類する。例えば、グループ振り分け部１４０は、垂直同期信号の周波数が同一でありかつ音声信号が関連付けられていないことを検出部１３０が検出した映像信号を同一のグループに分類する。具体的には、グループ振り分け部１４０は、垂直同期信号の周波数が同一でありかつ音声信号が関連付けられていないＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３及びＤｉｓｐｌａｙＰｏｒｔ−Ｄ１２４を同一のグループ１に分類する。また、グループ振り分け部１４０は、垂直同期信号の周波数が同一でありかつ音声信号が関連付けられていないＨＤＭＩ−Ｘ１２５及びＨＤＭＩ−Ｙ１２６を同一のグループ２に分類する。
【００２２】
図２（Ｂ）においては、検出部１３０が、それぞれの入力端子に、図２（Ａ）と同一の映像信号が入力されていると検出したことを想定している。また、図２（Ｂ）においては、検出部１３０が、ＨＤＭＩ−Ｘ１２５に入力された第１映像信号に音声信号が関連付けられていることを検出し、他の入力端子に入力された第２映像信号に音声信号が関連付けられていないことを検出したことを想定している。
【００２３】
グループ振り分け部１４０は、複数の映像信号のうち、音声信号が関連付けられていることを検出部１３０が検出した第１映像信号と、第１映像信号と同一の特性を有する音声信号が関連付けられていないことを検出部１３０が検出した第２映像信号とを、同一のグループに分類する。例えば、グループ振り分け部１４０は、音声信号が関連付けられていることを検出部１３０が検出した第１映像信号と解像度が同一であり、かつ音声信号が関連付けられていないことを検出部１３０が検出した第２映像信号を同一のグループに分類する。具体的には、グループ振り分け部１４０は、音声信号が関連付けられていない第２映像信号が入力されているＨＤＭＩ−Ｙ１２６を、解像度が同一でありかつ音声信号が関連付けられている第１映像信号が入力されているＨＤＭＩ−Ｘ１２５と同一のグループ２に分類する。
【００２４】
図２（Ｃ）においては、検出部１３０が、ＨＤＭＩ−Ｘ１２５及びＨＤＭＩ−Ｙ１２６から入力された映像信号には、それぞれ音声信号が関連付けられて入力されていることを検出したことを想定している。また、検出部１３０が、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３及びＤｉｓｐｌａｙＰｏｒｔ−Ｄ１２４には、映像信号が入力されていないことを想定している。
【００２５】
グループ振り分け部１４０は、同一の特性を有しかつ音声信号が関連付けられていることを検出部１３０が検出した複数の映像信号を異なるグループに分類する。例えば、グループ振り分け部１４０は、垂直同期信号の周波数が同一でありかつ音声信号が関連付けられていることを検出部１３０が検出した複数の映像信号を異なるグループに分類する。具体的には、グループ振り分け部１４０は、垂直同期信号の周波数が同一でありかつ音声信号が関連付けられている、ＨＤＭＩ−Ｘ１２５と、ＨＤＭＩ−Ｙ１２６とをそれぞれ異なるグループに分類する。より具体的には、グループ振り分け部１４０は、ＨＤＭＩ−Ｘ１２５をグループ１に、ＨＤＭＩ−Ｙ１２６をグループ２に分類する。
【００２６】
また、グループ振り分け部１４０は、解像度が同一でありかつ音声信号が関連付けられていることを検出部１３０が検出した複数の映像信号を異なるグループに分類してもよい。例えば、グループ振り分け部１４０は、垂直同期信号の周波数が同一でありかつ音声信号が関連付けられている、ＨＤＭＩ−Ｘ１２５と、ＨＤＭＩ−Ｙ１２６とをそれぞれ異なるグループに分類する。具体的には、グループ振り分け部１４０は、ＨＤＭＩ−Ｘ１２５をグループ１に、ＨＤＭＩ−Ｙ１２６をグループ２に分類する。
【００２７】
グループ振り分け部１４０は、音声信号が関連付けられていない映像信号を、検出部１３０が検出した各映像信号の特性に基づいて分類する。図３は、音声信号が関連付けられていない映像信号の分類方法を説明するための図である。
【００２８】
図３（Ａ）においては、検出部１３０が、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３、ＤｉｓｐｌａｙＰｏｒｔ−Ｄ１２４の４端子に、解像度が１９２０×１０８０、垂直同期周波数が６０．０００１Ｈｚの映像信号が入力されていると検出したことを想定している。
また、検出部１３０が、ＨＤＭＩ−Ｘ１２５及びＨＤＭＩ−Ｙ１２６の２端子に、共に解像度が１９２０×２１６０、周波数が５９．９９９９Ｈｚの映像信号が入力されていると検出したことを想定している。さらに、検出部１３０が、入力された映像信号に音声信号が関連付けられていないと検出したことを想定している。
【００２９】
グループ振り分け部１４０は、映像信号に音声信号が関連付けられていない場合、検出部１３０が同一の特性を検出した映像信号を同一のグループに分類する。例えば、グループ振り分け部１４０は、複数の入力端子のうち、検出部１３０が検出した垂直同期周波数が等しい映像信号が入力された入力端子を一つのグループにするように振り分けることにより、複数の入力端子を一以上のグループに分類する。具体的には、グループ振り分け部１４０は、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３及びＤｉｓｐｌａｙＰｏｒｔ−Ｄ１２４の４端子に入力された解像度及び垂直同期周波数が同一である映像信号を、同一のグループ１に分類する。また、グループ振り分け部１４０は、ＨＤＭＩ−Ｘ１２５及びＨＤＭＩ−Ｙ１２６の２端子に入力された解像度及び垂直同期周波数が同一である映像信号を、同一のグループ２に分類する。
【００３０】
図３（Ｂ）においては、検出部１３０が、ＤｉｓｐｌａｙＰｏｒｔ−Ａ１２１及びＤｉｓｐｌａｙＰｏｒｔ−Ｂ１２２に解像度が１９２０×１０８０、周波数が６０．０００１Ｈｚの映像信号が入力されていると検出したことを想定している。また、検出部１３０が、ＤｉｓｐｌａｙＰｏｒｔ−Ｃ１２３及びＤｉｓｐｌａｙＰｏｒｔ−Ｄ１２４に解像度が１２８０×１６００、周波数が５９．９７１９１Ｈｚの信号が入力されていると検出したことを想定している。さらに、検出部１３０は、ＨＤＭＩ−Ｘ１２５に解像度が１９２０×２１６０、周波数が６０．０００１Ｈｚの映像信号が入力され、ＨＤＭＩ−Ｙ１２６に解像度が３８４０×２１６０、周波数が２４．００００Ｈｚの信号が入力されていると検出したことを想定している。
【００３１】
グループ振り分け部１４０は、同一の垂直同期周波数を有する映像信号を、同一のグループに分類する。例えば、グループ振り分け部１４０は、同一の垂直同期周波数を有する、ＤｉｓｐｌａｙＰｏｒｔ−Ａ１２１と、ＤｉｓｐｌａｙＰｏｒｔ−Ｂ１２２と、ＨＤＭＩ−Ｘ１２５とに入力された映像信号を同一のグループ１に分類する。グループ振り分け部１４０は、同一の垂直同期周波数を有するＤｉｓｐｌａｙＰｏｒｔ−Ｃ１２３及びＤｉｓｐｌａｙＰｏｒｔ−Ｄ１２４に入力された映像信号を、同一のグループ２に分類する。グループ振り分け部１４０は、検出部１３０が検出した他の映像信号の特性と、同一の特性を持たないＨＤＭＩ−Ｙ１２６に入力された映像信号を、他の映像信号と異なるグループ３に分類する。
【００３２】
図３（Ｃ）においては、検出部１３０が、ＤｉｓｐｌａｙＰｏｒｔ−Ａ１２１に解像度が１９２０×１０８０、周波数が６０．０００１Ｈｚの映像信号が入力されていると検出したことを想定している。また、検出部１３０が、ＤｉｓｐｌａｙＰｏｒｔ−Ｂ１２２に解像度が１９２０×１０８０、周波数が６０．００００Ｈｚの映像信号が入力されていると検出したことを想定している。さらに、検出部１３０が、ＨＤＭＩ−Ｘ１２５に解像度が１９２０×１０８０、周波数が６０．０００２Ｈｚの映像信号が入力されていると検出したことを想定している。
【００３３】
グループ振り分け部１４０は、解像度が同一であり、かつ垂直同期周波数が異なる複数の映像信号を、異なるグループに分類する。グループ振り分け部１４０は、ＤｉｓｐｌａｙＰｏｒｔ−Ｂ１２２に入力された映像信号をグループ１に分類し、ＤｉｓｐｌａｙＰｏｒｔ−Ａ１２１に入力された映像信号をグループ２に分類し、ＨＤＭＩ−Ｘ１２５に入力された映像信号をグループ３に分類する。
【００３４】
グループ振り分け部１４０は、グループごとに所属グループ識別子を割り当てて、入力端子に関連付けて、入力端子に入力される映像信号に含まれる画像データの解像度、垂直同期周波数及び所属グループ識別子をグループメモリ１５０に通知する。
【００３５】
グループメモリ１５０は、入力端子に関連付けて、入力端子に入力される映像信号の特性、映像信号に関連づけられた音声信号の有無、入力端子が属するグループの識別情報を記憶する記憶手段である。グループメモリ１５０は、グループに関連付けられた表示モードの種別を記憶する記憶手段である。具体的には、グループメモリ１５０は、入力端子に関連付けて、画像の解像度、垂直同期周波数、水平同期周波数、音声信号の有無及び所属グループ識別子を記憶する。
【００３６】
配置決定部１６０は、グループ振り分け部１４０が分類したグループに含まれる複数の映像信号に含まれる画像を配置する配置決定手段として機能する。具体的には、配置決定部１６０は、複数の映像信号それぞれが入力された複数の入力端子それぞれに関連付けられた位置に、複数の映像信号に含まれる画像データを配置する。配置決定部１６０は、表示モードに関連付けてグループメモリ１５０に記憶された、入力端子に関連付けられた画像の解像度、垂直同期周波数、水平同期周波数、音声信号の有無及び所属グループ識別子に基づく位置に複数の画像データを配置してもよい。
【００３７】
配置決定部１６０は、複数の映像信号に対応する複数の画像データに含まれるオブジェクトの動きに基づいて複数の画像データを配置してもよい。例えば、配置決定部１６０は、画像データに含まれるオブジェクトの動きベクトルを解析し、動きベクトルが連続する画像データを隣接して配置する。
また、配置決定部１６０は、複数の映像信号に対応する複数の画像データ間の連続性に基づいて複数の画像データを配置してもよい。例えば、配置決定部１６０は、画素階調を解析し、画素階調が連続する画像データを隣接して配置する。
【００３８】
また、配置決定部１６０は、複数の画像データを配置して生成される結合画像データの解像度を決定する。配置決定部１６０は、各入力端子の所属グループにおける画像の配置座標及び各グループにおける結合画像の解像度を決定し、グループメモリ１５０に通知する。配置決定部１６０は、グループメモリ１５０を介して、画像の配置座標及び結合画像の解像度を、出力制御部１７０に通知してもよい。
【００３９】
出力制御部１７０は、表示部１１０にどのような画面を表示させるかを制御する。出力制御部１７０は、グループ振り分け部１４０が分類した結果を表示部１１０に出力する出力手段として機能する。例えば、出力制御部１７０は、グループ振り分け部１４０が複数の映像信号を分類した複数のグループから一つのグループを選択するための選択画面を表示する。具体的には、出力制御部１７０は、グループ振り分け部１４０が分類した結果を含む、ユーザに表示モードの選択を行わせるためのメニュー画面を表示部１１０に表示させる。
【００４０】
さらに、出力制御部１７０は、ユーザの操作に基づいて、表示させたメニューに含まれる複数の表示モードから一つの表示モードを選択する。また、出力制御部１７０は、ユーザにより選択された表示モードと、表示モードに応じて配置決定部１６０が決定した画像の配置とをグループ画像結合部１８０に通知する。出力制御部１７０は、後述するグループ画像結合部１８０から結合画像データの通知を受けると、結合画像データを表示部１１０に出力する。
【００４１】
また、出力制御部１７０は、複数の映像信号のうち、選択制御部１７３が選択したグループに含まれる複数の選択映像信号に基づく複数の画像データを結合した結合画像データを出力する。例えば、出力制御部１７０は、複数の選択映像信号それぞれが入力された複数の入力端子それぞれに関連付けられた位置に配置された結合画像データを出力する。具体的には、出力制御部１７０は、表示部１１０における、配置決定部１６０が複数の映像信号それぞれが入力された複数の入力端子それぞれに関連付けられた位置に、複数の映像信号に含まれる画像データを配置した結合画像データを出力する。
【００４２】
出力制御部１７０は、複数の選択映像信号に対応する複数の画像データに含まれるオブジェクトの動きに基づいて複数の画像データを配置した結合画像データを表示部１１０に出力してもよい。例えば、出力制御部１７０は、配置決定部１６０がオブジェクトの動きに基づいて複数の画像データを配置した結合画像データを表示部１１０に出力する。また、出力制御部１７０は、複数の選択映像信号に対応する複数の画像データ間の連続性に基づいて複数の画像データを配置した結合画像データを表示部１１０に出力してもよい。例えば、出力制御部１７０は、配置決定部１６０が複数の画像データ間の連続性に基づいて複数の画像データを配置した結合画像データを表示部１１０に出力する。
【００４３】
出力制御部１７０は、ＯＳＤ重畳部１７１と、操作受付部１７２と、選択制御部１７３と、画面生成部１７４とを有している。
ＯＳＤ重畳部１７１は、映像結合部１８２が出力した画像データに、画面生成部１７４が生成する表示モード選択メニュー画面を重畳し、表示部１１０に出力する。操作受付部１７２は、表示モード選択メニュー表示ボタン、上ボタン、下ボタン、決定ボタンを有し、ユーザからの操作を受け付ける。操作受付部１７２は、受け付けた操作指示を選択制御部１７３に通知する。なお、上記のボタンは例示的なものであり、操作受付部１７２が他の操作用ボタンを有していてもよい。
【００４４】
選択制御部１７３は、グループ振り分け部１４０が分類した複数のグループから一つのグループを選択する選択手段として機能する。選択制御部１７３は、操作受付部１７２から、ユーザが選択した表示モードの通知を受けると、ユーザが選択した表示モードに対応するグループを選択する。選択制御部１７３は、選択したグループを特定する情報を、グループ画像結合部１８０に通知する。選択制御部１７３は、各入力端子に関連付けられているパラメータをグループメモリ１５０からから読み出し、配置決定部１６０が決定した配置に基づいて、表示部１１０に表示するパラメータに対応する情報を画面生成部１７４に通知する。
【００４５】
画面生成部１７４は、ユーザの操作を受け付けるための各種のメニューを構成するための各種パーツを保持しており、ユーザが表示モードを選択するための表示モード選択メニュー画面データを生成する。画面生成部１７４は、生成した画面データを、ＯＳＤ重畳部１７１を介して表示部１１０に出力する。画面生成部１７４は、例えば、表示モードの種別に応じて異なる態様で、一以上のグループから一つのグループを選択する操作を受け付けるための画面データを出力する。また、画面生成部１７４は、表示モードの種別が所定の条件を満たす一以上のグループを選択させるための操作用アイコン画像を含む画面データを出力する。
以下、画面生成部１７４が生成する表示モード選択メニュー画面について説明する。
【００４６】
［表示モード選択メニュー画面］
図４は、表示モードを選択するための表示モード選択メニュー画面の第１の例を示す図である。表示モード選択メニュー画面には、各グループに含まれる入力端子の数に対応する複数の表示モードの候補が示されている。図４（Ａ）は、図２（Ａ）に対応する表示モード選択メニュー画面を示す図である。図４（Ｂ）は、図２（Ｂ）に対応する表示モード選択メニュー画面を示す図である。図４（Ｃ）は、図２（Ｃ）に対応する表示モード選択メニュー画面を示す図である。
以下、図４（Ａ）を例にして、表示モード選択メニュー画面の説明を行う。
【００４７】
図４（Ａ）における表示モード選択メニュー画面は、選択カーソル４０１と、表示モード選択肢４１０〜４２０と、を含んで構成されている。図４（Ａ）における表示モード選択肢４１０は、図２（Ａ）におけるグループ１に対応する選択肢である。図４（Ａ）における表示モード選択肢４２０は、図２（Ａ）におけるグループ１に対応する選択肢である。図４（Ａ）における表示モード選択肢４２０は、図２（Ａ）におけるグループ２に対応する選択肢である。
【００４８】
続いて、図４（Ａ）に示す複数の選択肢のうち、図２（Ａ）におけるグループ２に対応する表示モード選択肢４２０を例にして、各選択肢に含まれているパーツについて説明する。表示モード選択肢４２０は、結合イメージアイコン４１１、解像度情報領域４１２、周波数情報領域４１３及び情報表示領域４１４を有する。結合イメージアイコン４１１は、表示モードに対応する入力端子に入力される映像信号の結合イメージを示す画像である。解像度情報領域４１２は、複数の画像データを結合した後の結合画像データの解像度を表示するための領域である。周波数情報領域４１３は、結合画像データの周波数を表示するための領域である。
【００４９】
情報表示領域４１４は、結合される入力端子を表示する情報表示領域である。情報表示領域４１４は、入力端子に対応する映像信号に、音声信号が関連付けられている場合、音声信号が関連付けられていることを示す情報を表示してもよい。また、情報表示領域４１４は、入力端子に入力される映像信号に問題がある場合に、問題の内容を示す警告情報を表示してもよい。
【００５０】
図５は、表示モードを選択するための表示モード選択メニュー画面の第２の例を示す図である。図５（Ａ）は、図３（Ａ）に対応する表示モード選択メニュー画面を示す図である。図５（Ｂ）は、図３（Ｂ）に対応する表示モード選択メニュー画面を示す図である。図５（Ｃ）は、図３（Ｃ）に対応する表示モード選択メニュー画面を示す図である。図５における表示モード選択メニュー画面は、図４における表示モード選択メニュー画面と同等であるので、各部の詳細な説明を省略する。
【００５１】
図１の説明に戻る。グループ画像結合部１８０は、複数の画像データを結合して結合画像データを生成する画像結合手段として機能する。例えば、グループ画像結合部１８０は、配置決定部１６０が決定した配置に基づいて、複数の画像を結合することにより結合画像データを生成する。具体的には、グループ画像結合部１８０は、配置決定部１６０が複数の入力端子から入力された複数の映像信号に含まれる複数の画像データを配置した位置に基づいて結合することにより、一つの結合画像データを生成する。
【００５２】
また、グループ画像結合部１８０は、複数の映像信号のうち、選択制御部１７３が選択したグループに含まれる複数の選択映像信号に基づいて複数の画像データを結合することにより結合画像データを生成してもよい。例えば、グループ画像結合部１８０は、ユーザにより選択された表示部１１０の表示モードに対応する態様で複数の画像データを結合することにより結合画像データを生成する。
【００５３】
また、グループ画像結合部１８０は、複数の入力端子のうち、複数の選択映像信号それぞれが入力された複数の入力端子それぞれに関連付けられた位置に配置された結合画像データを生成する。グループ画像結合部１８０は、選択制御部１７３が選択したグループに含まれる複数の選択映像信号に対応する複数の画像データを、配置決定部１６０がオブジェクトの動きに基づいて配置した位置に結合した結合画像データを生成してもよい。グループ画像結合部１８０は、選択映像信号に対応する複数の画像データを、配置決定部１６０が画像データ間の連続性に基づいて配置した位置に結合した結合画像データを生成してもよい。
【００５４】
グループ画像結合部１８０は、複数の画像を結合した結合画像データを出力制御部１７０に通知する。グループ画像結合部１８０は、信号経路変更部１８１と、映像結合部１８２と、結合制御部１８３とを有する。
【００５５】
信号経路変更部１８１は、入力された６つの映像信号のうち、表示する対象として選択された映像信号を、結合制御部１８３の指示に基づいて、経路１８４〜１８７のいずれかに出力する。具体的には、信号経路変更部１８１は、ユーザが選択した表示モードに対応する映像信号を、当該表示モードにおいて使用される経路に出力する。なお、便宜上、経路１８４に出力された映像信号に含まれる画像データを、画像６０１という。以下、同様に、経路１８５に出力された画像を画像６０２といい、経路１８６に出力された画像を画像６０３といい、経路１８７に出力された画像を画像６０４という。
【００５６】
映像結合部１８２は、結合制御部１８３から指定された表示モードに基づいて、経路１８４〜１８７から入力された画像６０１〜６０４を結合して、一つの結合画像データを生成する。映像結合部１８２は、生成した結合画像データをＯＳＤ重畳部に通知する。
結合制御部１８３は、出力制御部１７０からの表示モード設定指示に応じて、信号経路変更部１８１及び映像結合部１８２を制御する。
以下、結合制御部１８３が有する表示モードについて説明を行う。
【００５７】
［表示モードの例］
図６は、表示モードの例を示す図である。表示装置１は、表示モードとして、１入力モード、左右２分割入力モード、短冊４分割入力モード、クォータハーフ３分割入力モード、田の字４分割入力モードを有する。１入力モードは、表示装置１が単一の入力端子に入力された画像６０１を表示するモードであり、全ての入力端子が対応する。
【００５８】
左右２分割入力モードは、表示装置１が画像６０１と画像６０３とを左右に結合して表示するモードである。左右２分割入力モードにおいて、信号経路変更部１８１は、結合制御部１８３の制御に基づいて、映像信号に含まれる左側に表示する画像を経路１８４に出力し、右側に表示する画像を経路１８６に出力する。映像結合部１８２は、結合制御部１８３の制御に基づいて、経路１８４に出力された画像６０１を左側に配置し、経路１８６に出力された画像６０３を右側に配置して結合した結合画像データを生成する。
【００５９】
短冊４分割入力モードは、表示装置１が、画像６０１を左端に、画像６０２をその右側に、画像６０３をその右側に、画像６０４を右端として水平方向に結合して表示するモードである。短冊４分割入力モードにおいて、信号経路変更部１８１は、映像信号に含まれる、左端に表示する画像６０１を経路１８４に出力し、画像６０１の右側に表示する画像６０２を経路１８５に出力する。また、信号経路変更部１８１は、画像６０２の右側に表示する画像６０３を経路１８６に出力し、画像６０３の右側に表示する画像６０４を経路１８７に出力する。映像結合部１８２は、画像６０１を左端に、画像６０２をその右側に、画像６０３をその右側に、画像６０４を右端に配置して水平方向に結合した結合画像データを生成する。
【００６０】
クォータハーフ３分割入力モードは、表示装置１が、画像６０１を左上に、画像６０２を下側として垂直方向に結合した画像を左側とし、画像６０３を右側として水平方向に結合して出力表示するモードである。クォータハーフ３分割入力モードにおいて、信号経路変更部１８１は、映像信号に含まれる、左上に表示する画像６０１を経路１８４に出力し、画像６０１の下側に表示する画像６０２を経路１８５に出力し、右側に表示する画像６０３を経路１８５に出力する。映像結合部１８２は、画像６０１を左上に、画像６０２を左下に、画像６０３を右側に配置して結合した結合画像データを生成する。
【００６１】
田の字４分割入力モードは、表示装置１が左上、左下、右上、右下の４つの領域に画像を表示させるモードである。田の字４分割入力モードにおいて、信号経路変更部１８１は、映像信号に含まれる、左上に表示する画像６０１を経路１８４に出力し、左下に表示する画像６０２を経路１８５に出力し、右上に表示する画像６０３を経路１８６に出力し、右下に表示する画像６０４を経路１８７に出力する。映像結合部１８２は、画像６０１を左上に、画像６０２を左下に、画像６０３を右上に、画像６０４を右下に配置して結合した結合画像データを生成する。
【００６２】
以上、説明したように、表示装置１は、同一の映像信号の特性を有しかつ音声信号が関連付けられている複数の映像信号を異なるグループに分類し、同一の映像信号の特性を有しかつ音声信号が関連付けられていない複数の映像信号を同一グループに分類し、それぞれのグループの表示モードを決定し、ユーザに表示モードの選択メニュー画面を表示する。このようにすることで、例えば、複数のチャネルの放送番組の映像信号が表示装置１に入力されている場合であっても、ユーザが、複数の映像信号のうち、結合して表示装置に表示することが望ましい映像信号を容易に把握することが可能になる。
以下、配置決定部１６０が、各表示モードにおいて画像の配置を決定する方法について詳細に説明する。
【００６３】
［画像の配置を決定する処理］
配置決定部１６０が、各入力端子の所属グループにおける配置座標と各グループにおける結合画像の解像度を決定する配置決定処理について、図７〜１３を用いて説明する。図７〜１３は、配置決定部１６０が実行する配置決定処理フローを示す図である。説明を簡単にするために、本実施形態における結合制御部１８３が有する表示モードは、図６を用いて説明した５種の入力モードのみとして説明するが、結合制御部１８３は他の表示モードを有していてもよい。また、映像入力部１２０が取得した映像信号は、何れかの表示モードにおいて表示できるものとして説明する。
【００６４】
図７は、配置決定処理のフローチャートである。まず、図７を参照しながら、配置決定処理フローの全体の流れについて説明する。
ステップＳ５００１において、配置決定部１６０は、パラメータの定義を行う。配置決定部１６０は、表示部水平解像度Ｈｄｉｓｐを表示部１１０の水平解像度３８４０と定義し、表示部垂直解像度Ｖｄｉｓｐを表示部１１０の垂直解像度２１６０と定義する。
配置決定部１６０は、各入力端子の水平解像度Ｈｉｎ［］及び各入力端子の垂直解像度Ｖｉｎ［］を、それぞれ要素数が６の配列で、グループに所属する入力端子から入力された画像データに含まれる解像度であると定義する。
【００６５】
配置決定部１６０は、画像６０１〜６０４の水平開始座標Ｈｐｏｓ［］及び垂直開始座標Ｖｐｏｓ［］を、それぞれ要素数が４の配列であると定義する。配置決定部１６０は、経路１８４〜１８７に出力された画像６０１〜６０４を結合した場合の配置座標を、グループメモリ１５０に通知する。以下の説明において、配置座標は、左上端の画素の座標を（０，０）とする。配置決定部１６０は、結合画像の水平解像度Ｈｔｔｌ及び垂直解像度Ｖｔｔｌを、それぞれ、指定グループに所属する各入力端子を結合した結合画像の水平解像度及び垂直解像度として定義する。配置決定部１６０は、端子ループ変数ｉを、端子探索用のループ変数として定義し、初期値として０を格納する。
【００６６】
ステップＳ５１００において、配置決定部１６０は、指定グループに所属する各入力端子の解像度をグループメモリ１５０から取得してそれぞれの配列に格納する処理（図８に示すフロー）を実行する。
続いて、ステップＳ５００２において、配置決定部１６０は、指定グループに所属する端子が一つどうかを判定する。配置決定部１６０は、指定グループに所属する端子が一つであればステップＳ５２００に進み、１入力モードの配置決定処理（図９に示すフロー）を実行する。配置決定部１６０は、指定グループに所属する端子が一つでない場合、ステップＳ５００３に処理を進める。
【００６７】
ステップＳ５００３において、配置決定部１６０は、指定グループに所属する端子が２つどうかを判定する。配置決定部１６０は、指定グループに所属する端子が２つであればステップＳ５３００に進み、左右２分割入力モードの配置決定処理（図１０に示すフロー）を実行する。配置決定部１６０は、指定グループに所属する端子が２つでない場合、ステップＳ５００４に処理を進める。
【００６８】
ステップＳ５００４において、配置決定部１６０は、指定グループに所属する端子が３つどうかを判定する。配置決定部１６０は、指定グループに所属する端子が３つであればステップＳ５４００に進み、クォータハーフ３分割入力モードの配置決定処理（図１１に示すフロー）を実行する。配置決定部１６０は、指定グループに所属する端子が３つでない場合、ステップＳ５００５に処理を進める。
【００６９】
ステップＳ５００５において、配置決定部１６０は、指定グループに所属する４つの所属端子の水平解像度の合計値が、表示部水平解像度Ｈｄｉｓｐ以下かどうかを判定する。配置決定部１６０は、水平解像度の合計値が、表示部水平解像度Ｈｄｉｓｐ以下である場合、ステップＳ５５００に進み、短冊４分割入力モードの配置決定処理（図１２に示すフロー）を実行する。配置決定部１６０は、水平解像度の合計値が、表示部水平解像度Ｈｄｉｓｐより大きい場合、ステップＳ５６００に進み、田の字４分割入力モードの配置決定処理（図１３に示すフロー）を実行する。
【００７０】
以下、図８を用いて、配置決定部１６０が各入力端子の解像度を配列に格納する処理について説明する。図８は、入力端子の解像度を配列に格納する処理のフローチャートである。
【００７１】
ステップＳ５１０１において、配置決定部１６０は、水平解像度Ｈｉｎ［０］〜Ｈｉｎ［５］及び垂直解像度Ｖｉｎ［０］〜Ｖｉｎ［５］に０を格納することにより、解像度のパラメータを初期化する。
ステップＳ５１０２において、配置決定部１６０は、ＤｉｓｐｌａｙＰｏｒｔ−Ａ１２１が指定グループに所属する端子であるかどうかを判定し、ＤｉｓｐｌａｙＰｏｒｔ−Ａ１２１が指定グループに所属する端子であればステップＳ５１０３に進む。ステップＳ５１０３において、配置決定部１６０は、ＤｉｓｐｌａｙＰｏｒｔ−Ａ１２１の水平解像度を水平解像度Ｈｉｎ［０］に格納し、ＤｉｓｐｌａｙＰｏｒｔ−Ａ１２１の垂直解像度を垂直解像度Ｖｉｎ［０］に格納する。配置決定部１６０は、ＤｉｓｐｌａｙＰｏｒｔ−Ａ１２１が指定グループに所属する端子でないと判定すると、ステップＳ５１０４に処理を進める。
【００７２】
ステップＳ５１０４において、配置決定部１６０は、ＤｉｓｐｌａｙＰｏｒｔ−Ｂ１２２が指定グループに所属する端子であるかどうかを判定し、ＤｉｓｐｌａｙＰｏｒｔ−Ｂ１２２が指定グループに所属する端子であればステップＳ５１０５に進む。ステップＳ５１０５において、配置決定部１６０は、ＤｉｓｐｌａｙＰｏｒｔ−Ｂ１２２の水平解像度を水平解像度Ｈｉｎ［１］に格納し、ＤｉｓｐｌａｙＰｏｒｔ−Ｂ１２２の垂直解像度を垂直解像度Ｖｉｎ［１］に格納する。配置決定部１６０は、ＤｉｓｐｌａｙＰｏｒｔ−Ｂ１２２が指定グループに所属する端子でないと判定すると、ステップＳ５１０６に処理を進める。
【００７３】
ステップＳ５１０６において、配置決定部１６０は、ＤｉｓｐｌａｙＰｏｒｔ−Ｃ１２３が指定グループに所属する端子であるかどうかを判定し、ＤｉｓｐｌａｙＰｏｒｔ−Ｃ１２３が指定グループに所属する端子であればステップＳ５１０７に進む。ステップＳ５１０７において、配置決定部１６０は、ＤｉｓｐｌａｙＰｏｒｔ−Ｃ１２３の水平解像度を水平解像度Ｈｉｎ［２］に格納し、ＤｉｓｐｌａｙＰｏｒｔ−Ｃ１２３の垂直解像度を垂直解像度Ｖｉｎ［２］に格納する。配置決定部１６０は、ＤｉｓｐｌａｙＰｏｒｔ−Ｃ１２３が指定グループに所属する端子でないと判定すると、ステップＳ５１０８に処理を進める。
【００７４】
ステップＳ５１０８において、配置決定部１６０は、ＤｉｓｐｌａｙＰｏｒｔ−Ｄ１２４が指定グループに所属する端子であるかどうかを判定し、ＤｉｓｐｌａｙＰｏｒｔ−Ｄ１２４が指定グループに所属する端子であればステップＳ５１０９に進む。ステップＳ５１０９において、配置決定部１６０は、ＤｉｓｐｌａｙＰｏｒｔ−Ｄ１２４の水平解像度を水平解像度Ｈｉｎ［３］に格納し、ＤｉｓｐｌａｙＰｏｒｔ−Ｄ１２４の垂直解像度を垂直解像度Ｖｉｎ［３］に格納する。配置決定部１６０は、ＤｉｓｐｌａｙＰｏｒｔ−Ｄ１２４が指定グループに所属する端子でないと判定すると、ステップＳ５１１０に処理を進める。
【００７５】
ステップＳ５１１０において、配置決定部１６０は、ＨＤＭＩ−Ｘ１２５が指定グループに所属する端子であるかどうかを判定し、ＨＤＭＩ−Ｘ１２５が指定グループに所属する端子であればステップＳ５１１１に進む。ステップＳ５１１１において、配置決定部１６０は、ＨＤＭＩ−Ｘ１２５の水平解像度を水平解像度Ｈｉｎ［４］に格納し、ＨＤＭＩ−Ｘ１２５の垂直解像度を垂直解像度Ｖｉｎ［４］に格納する。配置決定部１６０は、ＤｉｓｐｌａｙＰｏｒｔ−Ｘ１２５が指定グループに所属する端子でないと判定すると、ステップＳ５１１２に処理を進める。
【００７６】
ステップＳ５１１２において、配置決定部１６０は、ＨＤＭＩ−Ｙ１２６が指定グループに所属する端子であるかどうかを判定し、ＨＤＭＩ−Ｙ１２６が指定グループに所属する端子であればステップＳ５１１３に進む。ステップＳ５１１３において、配置決定部１６０は、ＨＤＭＩ−Ｙ１２６の水平解像度を水平解像度Ｈｉｎ［５］に格納し、ＨＤＭＩ−Ｙ１２６の垂直解像度を垂直解像度Ｖｉｎ［５］に格納する。配置決定部１６０は、ＤｉｓｐｌａｙＰｏｒｔ−Ｙ１２６が指定グループに所属する端子でないと判定すると、解像度を配列に格納する処理を終了する。
【００７７】
以上のようにして、配置決定部１６０は、水平解像度Ｈｉｎ［０］〜Ｈｉｎ［５］及び垂直解像度Ｖｉｎ［０］〜Ｖｉｎ［５］に、指定グループに所属する入力端子に対応する解像度を格納し、所属しない入力端子には０を格納する。
【００７８】
［各表示モードにおける画像の配置決定処理］
以下、図９〜１３を参照しながら、配置決定部１６０が実行する各表示モードにおける画像の配置決定処理を説明する。
【００７９】
（１入力モードの配置決定処理）
図９は、１入力モードの配置決定処理のフローチャートである。
ステップＳ５２０１において、配置決定部１６０は、変数初期化処理を行い、所属端子Ｓを定義する。Ｓ５２０２において、配置決定部１６０は、端子ループ変数ｉを最大で、表示装置１が有する入力端子数分だけループし、指定グループに所属する入力端子を探索する。配置決定部１６０は、指定グループに所属することを検出した入力端子を所属端子Ｓに決定する。
【００８０】
Ｓ５２０３において、配置決定部１６０は、経路１８４に出力された画像６０１の水平開始座標Ｈｐｏｓ［０］及び垂直開始座標Ｖｐｏｓ［０］に０を格納する。配置決定部１６０は、結合画像の水平解像度Ｈｔｔｌに、所属端子Ｓに入力される映像信号に含まれる画像データの水平解像度Ｈｉｎ［Ｓ］を格納する。配置決定部１６０は、結合画像の垂直解像度Ｖｔｔｌに、所属端子Ｓに入力される映像信号に含まれる画像データの垂直解像度Ｖｉｎ［Ｓ］を格納する。
【００８１】
（左右２分割入力モードの配置決定処理）
図１０は、左右２分割入力モードの配置決定処理のフローチャートである。
ステップＳ５３０１において、配置決定部１６０は、変数初期化処理を行い、左端子Ｌと、右端子Ｒと、最大Ｖ端子Ｍとを定義する。
【００８２】
ステップＳ５３０２において、配置決定部１６０は、端子ループ変数ｉを最大で入力端子数分だけループし、指定グループに所属する入力端子を探索し、指定グループに所属する入力端子として検出した順に、左端子Ｌ、右端子Ｒに決定する。さらに、配置決定部１６０は、左端子Ｌの水平解像度Ｖｉｎ［Ｌ］、及び右端子Ｒの水平解像度Ｖｉｎ［Ｒ］のうち、より大きい水平解像度を、最大Ｖ端子Ｍとする。本実施形態において、配置決定部１６０は、端子ループ変数ｉを０から１ずつ増加するので、ＤｉｓｐｌａｙＰｏｒｔ−Ａ１２１、ＤｉｓｐｌａｙＰｏｒｔ−Ｂ１２２、ＤｉｓｐｌａｙＰｏｒｔ−Ｃ１２３、ＤｉｓｐｌａｙＰｏｒｔ−Ｄ１２４、ＨＤＭＩ−Ｘ１２５、ＨＤＭＩ−Ｙ１２６の順に所属端子を探索する。
【００８３】
なお、本実施形態において、配置決定部１６０は、先に見つかった入力端子を左側に配置したが、本発明はそれに制限されるものではなく、ユーザの指示に基づいて入れ替えたり、映像を解析することによって自動的に入れ替えたりしてもよい。映像を配置する方法は、例えば境界付近の動きベクトルや画素階調を解析し、境界の左右で端が連続する画像を隣同士にする方法である。配置決定部１６０は、他の表示モードにおいても、ユーザの指示に基づいて入れ替えたり、映像を解析することによって自動的に入れ替えたりしてもよい。
【００８４】
ステップＳ５３０３において、配置決定部１６０は、信号経路変更部１８１が左右２分割入力モードで使用する経路１８４及び経路１８６に出力した画像６０１及び画像６０３の水平開始座標及び垂直開始座標と、結合画像の解像度とを求める。具体的には、配置決定部１６０は、経路１８４に出力された画像６０１の水平開始座標Ｈｐｏｓ［０］及びＶｐｏｓ［０］に０を格納する。配置決定部１６０は、経路１８６に出力された画像６０３の水平開始座標Ｈｐｏｓ［２］に左端子Ｌの水平解像度Ｈｉｎ［Ｌ］を格納し、垂直開始座標Ｖｐｏｓ［２］に０を格納する。
【００８５】
配置決定部１６０は、結合画像の水平解像度Ｈｔｔｌに水平解像度Ｈｉｎ［Ｌ］と水平解像度Ｈｉｎ［Ｒ］の和を格納する。配置決定部１６０は、結合画像の垂直解像度Ｖｔｔｌに垂直解像度Ｖｉｎ［Ｍ］を格納する。このようにすることで、配置決定部１６０は、複数の画像を、水平方向において隙間なく配置し、垂直方向において上に揃えて配置することができる。
【００８６】
上記の説明において、配置決定部１６０は、複数の画像を、垂直方向において上に揃えて配置したが、配置決定部１６０は、複数の画像を上揃えで配置するだけでなく、例えば中心揃え又は下揃えで配置してもよい。また、配置決定部１６０は、境界付近の動きベクトルや画素階調を解析し、境界の左右で連続性が最も高い位置に複数の画像を配置してもよい。配置決定部１６０は、他の表示モードにおいても、同様の方法で画像の位置を決めることができる。
【００８７】
（クォータハーフ３分割入力モードの配置決定処理）
図１１は、クォータハーフ３分割入力モードの配置決定処理のフローチャートである。
ステップＳ５４０１において、配置決定部１６０は、変数初期化処理を行い、左上端子ＬＵと、左下端子ＬＢと、右端子Ｒとを定義する。
Ｓ５４０２において、配置決定部１６０は、端子ループ変数ｉを最大で入力端子数分だけループし、指定グループに所属する入力端子を探索する。配置決定部１６０は、指定グループに所属することが検出された入力端子のうち、垂直解像度Ｖｉｎ［ｉ］が最大となる入力端子を右端子Ｒに決定し、他の入力端子は、検出した順に左上端子ＬＵ、左下端子ＬＢに決定する。
【００８８】
Ｓ５４０３〜Ｓ５４０５において、配置決定部１６０は、クォータハーフ３分割入力モードで使用される経路１８４〜１８６と、経路１８４〜１８６に入力された画像６０１〜６０３の水平開始座標Ｈｐｏｓ［］及び結合画像の水平解像度Ｈｔｔｌを求める。
Ｓ５４０３において、配置決定部１６０は、左上端子ＬＵの水平解像度Ｈｉｎ［ＬＵ］と、左下端子ＬＢの水平解像度Ｈｉｎ［ＬＢ］とを比較する。配置決定部１６０は、水平解像度Ｈｉｎ［ＬＵ］が水平解像度Ｈｉｎ［ＬＢ］より大きければＳ５４０４進み、水平解像度Ｈｉｎ［ＬＵ］が水平解像度Ｈｉｎ［ＬＢ］以下であればＳ５４０５へ進む。
【００８９】
Ｓ５４０４において、配置決定部１６０は、画像６０１の水平開始座標Ｈｐｏｓ［０］に０を格納する。配置決定部１６０は、画像６０２の水平開始座標Ｈｐｏｓ［１］に、水平解像度Ｈｉｎ［ＬＵ］と水平解像度Ｈｉｎ［ＬＢ］との差を格納する。配置決定部１６０は、画像６０３の水平開始座標Ｈｐｏｓ［２］に水平解像度Ｈｉｎ［ＬＵ］を格納する。配置決定部１６０は、結合画像の水平解像度Ｈｔｔｌに、水平解像度Ｈｉｎ［ＬＵ］と水平解像度Ｈｉｎ［Ｒ］との和を格納する。
【００９０】
Ｓ５４０５において、配置決定部１６０は、画像６０１の水平開始座標Ｈｐｏｓ［０］に、水平解像度Ｈｉｎ［ＬＢ］と水平解像度Ｈｉｎ［ＬＵ］との差を格納する。配置決定部１６０は、画像６０２の水平開始座標Ｈｐｏｓ［１］に０を格納する。配置決定部１６０は、画像６０３の水平開始座標Ｈｐｏｓ［２］に水平解像度Ｈｉｎ［ＬＢ］を格納する。配置決定部１６０は、結合画像の水平解像度Ｈｔｔｌに、水平解像度Ｈｉｎ［ＬＢ］と水平解像度Ｈｉｎ［Ｒ］との和を格納する。以上のようにすることで、本実施形態における配置決定部１６０は、左右の映像に隙間ができないように配置することができる。
【００９１】
Ｓ５４０６〜Ｓ５４０９において、配置決定部１６０は、クォータハーフ３分割入力モードで使用される経路１８４〜１８６と、経路１８４〜１８６に入力された画像６０１〜６０３の垂直開始座標Ｖｐｏｓ［］及び結合画像の垂直解像度Ｖｔｔｌを求める。Ｓ５４０６において、配置決定部１６０は、画像６０１の垂直開始座標Ｖｐｏｓ［０］に０を、画像６０２の垂直開始座標Ｖｐｏｓ［１］に左上端子の垂直解像度Ｖｉｎ［ＬＵ］を、画像６０３の垂直開始座標Ｖｐｏｓ［２］に０を格納する。
【００９２】
Ｓ５４０７において、配置決定部１６０は、左側の垂直解像度である左上端子ＬＵの垂直解像度Ｖｉｎ［ＬＵ］と左下端子ＬＢの垂直解像度Ｖｉｎ［ＬＢ］との和と、右端子Ｒの垂直解像度Ｖｉｎ［Ｒ］とを比較する。配置決定部１６０は、垂直解像度Ｖｉｎ［Ｒ］が、垂直解像度Ｖｉｎ［ＬＵ］と垂直解像度Ｖｉｎ［ＬＢ］との和より大きい場合はＳ５４０８に進む。配置決定部１６０は、垂直解像度Ｖｉｎ［Ｒ］が、垂直解像度Ｖｉｎ［ＬＵ］と垂直解像度Ｖｉｎ［ＬＢ］との和以下であればＳ５４０９に進む。
【００９３】
Ｓ５４０８において、配置決定部１６０は、結合画像の垂直解像度Ｖｔｔｌに、左側の垂直解像度である、左上端子ＬＵの垂直解像度Ｖｉｎ［ＬＵ］と左下端子ＬＢの垂直解像度Ｖｉｎ［ＬＢ］との和を格納する。
Ｓ５４０９において、配置決定部１６０は、結合画像の垂直解像度Ｖｔｔｌに、右端子Ｒの垂直解像度Ｖｉｎ［Ｒ］を格納する。
以上のようにすることで、本実施形態における配置決定部１６０は、左右の映像に隙間ができないように画像を配置することができる。
【００９４】
（短冊４分割入力モードの配置決定処理）
図１２は、短冊４分割入力モードの配置決定処理のフローチャートである。
Ｓ５５０１において、配置決定部１６０は、変数初期化処理を行い、最も左側の端子である左１端子Ｌ１と、左１端子Ｌ１の右側の端子である左２端子Ｌ２と、左２端子Ｌ２の右側の端子である右１端子Ｒ１と、右１端子Ｒ１の右側の端子である右２端子Ｒ２と、最大Ｖ端子Ｍとを定義する。
【００９５】
Ｓ５５０２において、配置決定部１６０は、端子ループ変数ｉを最大で入力端子数分だけループし、指定グループに所属する入力端子を探索する。配置決定部１６０は、指定グループに所属する入力端子として検出した順に左１端子Ｌ１、左２端子Ｌ２、右１端子Ｒ１、右２端子Ｒ２に決定する。さらに、配置決定部１６０は、所属端子において、垂直解像度Ｖｉｎ［ｉ］が最大となる入力端子を最大Ｖ端子Ｍに決定する。
【００９６】
Ｓ５５０３において、配置決定部１６０は、短冊４分割入力モードで使用される経路１８４〜１８６と、経路１８４〜１８６に入力された画像６０１〜６０３の水平開始座標Ｈｐｏｓ［］及び結合画像の水平解像度Ｈｔｔｌを求める。配置決定部１６０は、画像６０１の水平開始座標Ｈｐｏｓ［０］に０を、画像６０２の水平開始座標Ｈｐｏｓ［１］に左１端子Ｌ１の水平解像度Ｈｉｎ［Ｌ１］を格納する。
【００９７】
配置決定部１６０は、画像６０３の水平開始座標Ｈｐｏｓ［２］に、水平開始座標Ｈｐｏｓ［１］と左２端子Ｌ２の水平解像度Ｈｉｎ［Ｌ２］との和を格納する。配置決定部１６０は、画像６０４の水平開始座標Ｈｐｏｓ［３］に、水平開始座標Ｈｐｏｓ［２］と右１端子Ｒ１の水平解像度Ｈｉｎ［Ｒ１］との和を格納する。配置決定部１６０は、結合画像の水平解像度Ｈｔｔｌに、水平開始座標Ｈｐｏｓ［３］と水平解像度Ｈｉｎ［Ｒ２］との和を格納する。配置決定部１６０は、結合画像の水平解像度Ｈｔｔｌに、所属端子の水平解像度の合計値を格納してもよい。
【００９８】
Ｓ５５０４において、配置決定部１６０は、短冊４分割入力モードで使用される経路１８４〜１８６と、経路１８４〜１８６に入力された画像６０１〜６０３の垂直開始座標Ｖｐｏｓ［］及び結合画像の垂直解像度Ｖｔｔｌを求める。配置決定部１６０は、各垂直開始座標Ｖｐｏｓ［０］〜［３］に０を格納する。配置決定部１６０は、結合画像の垂直解像度Ｖｔｔｌに、最大垂直解像度Ｖｉｎ［Ｍ］を格納する。以上のようにすることで、配置決定部１６０は、入力された複数の画像を、水平方向において隙間なく配置し、垂直方向において上に揃えて配置することができる。
【００９９】
（田の字４分割入力モードの配置決定処理）
図１３は、田の字４分割入力モードの配置決定処理のフローチャートである。
Ｓ５６０１において、配置決定部１６０は、変数初期化処理を行い、左上端子ＬＵと、左下端子ＬＢと、右上端子ＲＵと、右下端子ＲＢとを定義する。Ｓ５６０２において、配置決定部１６０は、端子ループ変数ｉを最大で入力端子数分だけループし、指定グループに所属する入力端子を探索する。配置決定部１６０は、指定グループに所属する入力端子として検出した順に、左上端子ＬＵ、左下端子ＬＢ、右上端子ＲＵ、右下端子ＲＢに決定する。
【０１００】
Ｓ５６０３〜Ｓ５６０６において、配置決定部１６０は、田の字４分割入力モードで使用される経路１８４〜１８６と、経路１８４〜１８６に入力された画像６０１〜６０３の水平開始座標Ｈｐｏｓ［］及び結合画像の水平解像度Ｈｔｔｌを求める。
Ｓ５６０３において、配置決定部１６０は、左上端子ＬＵの水平解像度Ｈｉｎ［ＬＵ］と左下端子ＬＢの水平解像度Ｈｉｎ［ＬＢ］を比較する。配置決定部１６０は、水平解像度Ｈｉｎ［ＬＵ］が、水平解像度Ｈｉｎ［ＬＢ］より大きければＳ５６０４に進む。配置決定部１６０は、水平解像度Ｈｉｎ［ＬＵ］が、水平解像度Ｈｉｎ［ＬＢ］以下であればＳ５６０５に進む。
【０１０１】
Ｓ５６０４において、配置決定部１６０は、画像６０１の水平開始座標Ｈｐｏｓ［０］に０を格納する。配置決定部１６０は、画像６０２の水平開始座標Ｈｐｏｓ［１］に、水平解像度Ｈｉｎ［ＬＵ］と水平解像度Ｈｉｎ［ＬＢ］との差を格納する。配置決定部１６０は、画像６０３の水平開始座標Ｈｐｏｓ［２］及び画像６０４の水平開始座標Ｈｐｏｓ［３］に、共に水平解像度Ｈｉｎ［ＬＵ］を格納する。
【０１０２】
Ｓ５６０５において、配置決定部１６０は、画像６０１の水平開始座標Ｈｐｏｓ［０］に、水平解像度Ｈｉｎ［ＬＢ］と水平解像度Ｈｉｎ［ＬＵ］との差を格納する。配置決定部１６０は、画像６０２の水平開始座標Ｈｐｏｓ［１］に０を格納する。配置決定部１６０は、画像６０３の水平開始座標Ｈｐｏｓ［２］及び画像６０４の水平開始座標Ｈｐｏｓ［３］に、共に水平解像度Ｈｉｎ［ＬＢ］を格納する。
【０１０３】
Ｓ５６０６において、配置決定部１６０は、結合画像の水平解像度Ｈｔｔｌに、水平解像度Ｈｉｎ［ＬＵ］と水平解像度Ｈｉｎ［ＬＢ］とのうちの大きい方の値と、水平解像度Ｈｉｎ［ＲＵ］と水平解像度Ｈｉｎ［ＲＢ］とのうちの大きい方の値と、の和を格納する。以上のようにすることで、配置決定部１６０は、左右の映像に隙間ができないようにしながら、左右の映像の境目を上下で揃えるように配置することができる。
【０１０４】
Ｓ５６０７〜Ｓ５６１０において、配置決定部１６０は、田の字４分割入力モードで使用される経路１８４〜１８６と、経路１８４〜１８６に入力された画像６０１〜６０３の垂直開始座標Ｖｐｏｓ［］及び結合画像の垂直解像度Ｖｔｔｌを求める。Ｓ５６０７において、配置決定部１６０は、左上端子ＬＵの垂直解像度Ｖｉｎ［ＬＵ］と右上端子ＲＵの垂直解像度Ｖｉｎ［ＲＵ］とを比較する。配置決定部１６０は、垂直解像度Ｖｉｎ［ＬＵ］が、垂直解像度Ｖｉｎ［ＲＵ］より大きければＳ５６０８に進む。配置決定部１６０は、垂直解像度Ｖｉｎ［ＬＵ］が、垂直解像度Ｖｉｎ［ＲＵ］以下であればＳ５６０９に進む。
【０１０５】
Ｓ５６０８において、配置決定部１６０は、画像６０１の垂直開始座標Ｖｐｏｓ［０］に０を格納する。配置決定部１６０は、画像６０２の垂直開始座標Ｖｐｏｓ［１］に、垂直解像度Ｖｉｎ［ＬＵ］と垂直解像度Ｖｉｎ［ＲＵ］との差を格納する。配置決定部１６０は、画像６０３の垂直開始座標Ｖｐｏｓ［２］、及び画像６０４の垂直開始座標Ｖｐｏｓ［３］に、共に垂直解像度Ｖｉｎ［ＬＵ］を格納する。
【０１０６】
Ｓ５６０９において、配置決定部１６０は、画像６０１の垂直開始座標Ｖｐｏｓ［０］に垂直解像度Ｖｉｎ［ＲＵ］と垂直解像度Ｖｉｎ［ＬＵ］との差を格納する。配置決定部１６０は、画像６０２の垂直開始座標Ｖｐｏｓ［１］に０を格納する。配置決定部１６０は、画像６０３の垂直開始座標Ｖｐｏｓ［２］、及び画像６０４の垂直開始座標Ｖｐｏｓ［３］に、共に垂直解像度Ｖｉｎ［ＲＵ］を格納する。
【０１０７】
Ｓ５６１０において、配置決定部１６０は、結合画像の垂直解像度Ｖｔｔｌに、垂直解像度Ｖｉｎ［ＬＵ］と垂直解像度Ｖｉｎ［ＲＵ］とのうちの大きい方の値と、垂直解像度Ｖｉｎ［ＲＢ］と垂直解像度Ｖｉｎ［ＲＢ］とのうちの大きい方の値と、の和を格納する。以上のようにすることで、本実施形態における配置決定部１６０は、上下の映像に隙間ができないようにしながら、上下の映像の境目を左右で揃えるように配置することができる。
【０１０８】
（変形例１）
以上の説明において、検出部１３０は、入力された映像信号の特性として、解像度及び垂直同期周波数を検出した。これに限らず、検出部１３０は、ドットクロックの周波数を検出し、グループ振り分け部１４０は、ドットクロック周波数と音声信号の有無とに基づいて、映像信号を同一グループ又は異なるグループに分類してもよい。
【０１０９】
検出部１３０は、映像入力部１２０が取得した映像信号のドットクロックの周波数を検出する。検出部１３０は、ドットクロックの周波数を、垂直同期周波数に垂直総ライン数と水平総ドット数を乗算して求めてもよい。検出部１３０は、検出したドットクロックの周波数を、グループ振り分け部１４０に通知する。
【０１１０】
グループ振り分け部１４０は、ドットクロックの周波数が１：ｎ（ｎは自然数）の関係にある映像信号が有るか否かを判定する。グループ振り分け部１４０は、ドットクロックの周波数が１：ｎ（ｎは自然数）の関係にありかつ音声信号が関連付けられていることを検出部１３０が検出した複数の映像信号を異なるグループに分類する。また、ドットクロックの周波数が１：ｎ（ｎは自然数）の関係にありかつ音声信号が関連付けられていないことを検出部１３０が検出した複数の映像信号を同一のグループに分類する。
グループ振り分け部１４０は、ドットクロックの周波数が１：ｎ（ｎは自然数）の関係にない複数の映像信号を、異なるグループに分類する。
【０１１１】
以上のように、グループ振り分け部１４０がドットクロック周波数を用いて映像信号を分類することで、表示装置１は、例えば、信号帯域の異なる二つの端子（ＨＤＭＩ及びＤｉｓｐｌａｙＰｏｒｔ）間で映像を分割した場合においても信号帯域を有効に使うことができ、ユーザが表示したい表示態様を選択しやすくすることができる。
【０１１２】
（変形例２）
上記の説明では、電子機器として表示装置１を例示したが、本発明の電子機器は表示装置１に限定されない。例えば、図１に示した表示装置１における表示部１１０以外の構成を有するコンピュータ又はコントローラ等も本発明の電子機器に含まれる。このようなコンピュータ又はコントローラは、映像信号を伝送可能なケーブルによりディスプレイに接続され、出力制御部１７０からディスプレイに対して、映像信号に含まれる画像データを出力する。また、コンピュータ又はコントローラは、画像データを出力するディスプレイ、又は自身が有するディスプレイや発光素子等の表示デバイスに、表示モード選択メニュー画面を出力する。
【０１１３】
［本実施形態の表示装置１による効果］
以上説明した通り、表示装置１は、検出部１３０において、複数の入力端子に入力される複数の映像信号それぞれの特性と、複数の映像信号に音声信号が関連付けられているか否かを検出し、グループ振り分け部１４０において、映像信号の特性と音声信号の有無とに基づいて、複数の映像信号を一以上のグループに分類する。そして、表示装置１は、一以上のグループに関連付けられた表示モードを示す表示モード選択メニュー画面を表示部１１０に表示する。このようにすることで、複数の映像信号が表示装置１に入力されている場合に、ユーザが、複数の映像信号のうち、結合して表示装置に表示することが望ましい映像信号を容易に把握することが可能になる。
【０１１４】
また、グループ振り分け部１４０が、映像信号の特性と音声信号の有無とに基づいて、複数の映像信号を一以上のグループに分類することにより、複数のチャネルの放送番組の複数の映像信号が表示装置１に入力された場合に、複数の放送番組の画像が結合されて表示されてしまうことを防ぐことができる。
【０１１５】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【０１１６】
１・・・表示装置
１２０・・・映像入力部
１３０・・・検出部
１４０・・・グループ振り分け部
１７０・・・出力制御部
【図１】
2018133783.tif 000003
【図２】
2018133783.tif 000004
【図３】
2018133783.tif 000005
【図４】
2018133783.tif 000006
【図５】
2018133783.tif 000007
【図６】
2018133783.tif 000008
【図７】
2018133783.tif 000009
【図８】
2018133783.tif 000010
【図９】
2018133783.tif 000011
【図１０】
2018133783.tif 000012
【図１１】
2018133783.tif 000013
【図１２】
2018133783.tif 000014
【図１３】
2018133783.tif 000015